(57)【要約】【課題】  空調効率の悪化を防いで乗員の快適性を向上させることができると共に、バッテリーの消費電力を抑制し省電力化を図ることができる車両用空調装置を提供する。【解決手段】  充電されたバッテリー４９から供給された電力により、冷凍サイクルを循環する冷媒を圧縮するコンプレッサ４３と、圧縮された冷媒を気化するエバポレータ３４と、エバポレータ３４により冷却された空気を車両の車室内へ送風する送風ファン４０と、送風手段４０の下流側に設けられ、蓄冷材を含む蓄冷器３６と、蓄冷材を保冷制御すると共に、乗員の乗車前に車室内のプレ空調を行う場合、蓄冷材の放冷により冷却された空気が車室内へ吹き出されるように送風ファン４０を作動させる制御装置５０と、を備える。【選択図】        図１
2007076546.tif 000002
【特許請求の範囲】
【請求項１】
充電された蓄電手段から供給された電力により、冷凍サイクルを循環する冷媒を圧縮するコンプレッサと、
圧縮された冷媒を気化する蒸発器と、
前記蒸発器により冷却された空気を車両の車室内へ送風する送風手段と、
前記送風手段の下流側に設けられ、蓄冷材を含む蓄冷手段と、
前記蓄冷材を保冷制御すると共に、乗員の乗車前に前記車室内のプレ空調を行う場合、前記蓄冷材の放冷により冷却された空気が前記車室内へ吹き出されるように前記送風手段を作動させる制御手段と、
を備えた車両用空調装置。
【請求項２】
前記制御手段は、前記車両のエンジンの駆動中に、前記蓄冷材を保冷制御することを特徴とする請求項１記載の車両用空調装置。
【請求項３】
前記蓄冷材を直接冷却する冷却手段と、前記乗員の降車を検出する検出手段と、を備え、
前記制御手段は、前記車両のエンジンの駆動停止中に前記乗員の降車を検出した場合に、前記蓄冷材が保冷されるように前記冷却手段を制御することを特徴とする請求項１又は請求項２記載の車両用空調装置。
【請求項４】
前記制御手段は、前記車両のエンジンの駆動中は、前記蒸発器により冷却された空気により前記蓄冷材を冷却させ、前記エンジンの駆動停止中は、前記冷却手段により前記蓄冷材を冷却させることを特徴とする請求項３記載の車両用空調装置。
【請求項５】
前記冷却手段は、前記蓄電手段から供給された電力により前記蓄冷材を保冷するペルチェ素子であることを特徴とする請求項３又は請求項４記載の車両用空調装置。
【請求項６】
前記冷却手段は、前記冷凍サイクルから分岐させた冷媒を前記蓄冷手段内に循環させることにより前記蓄冷材を冷却する冷媒循環手段であることを特徴とする請求項３又は請求項４記載の車両用空調装置。
【請求項７】
前記蓄冷材の温度を検出する蓄冷材温度検出手段をさらに備え、
前記制御手段は、前記蓄冷材の温度が予め定めた所定範囲内となるように保冷制御することを特徴とする請求項１乃至請求項６の何れか１項に記載の車両用空調装置。
【請求項８】
前記蓄電手段の充電量を検出する充電量検出手段をさらに備え、
前記制御手段は、前記充電量が予め定めた所定閾値以下の場合には、前記蓄冷材の保冷制御を停止させることを特徴とする請求項１乃至請求項７の何れか１項に記載の車両用空調装置。
【発明の詳細な説明】
【技術分野】
【０００１】
本発明は、車両用空調装置に係り、特に、乗員が車両に乗車する前にプレ空調を行う車両用空調装置に関する。
【背景技術】
【０００２】
従来、エンジン及び電動モータを駆動源とするハイブリッド車の車室内を空調する空調装置として、エンジンが停止中であっても車室内を空調するために、バッテリーからの電力によって電動コンプレッサを駆動して車室内をプレ空調するものがある（例えば特許文献１参照）。このように電動コンプレッサを用いた空調装置では、バッテリーが過放電しないように制御する必要がある。
【０００３】
このため、特許文献２には、電動コンプレッサによって圧縮され液化した冷媒を気化させるエバポレータ（蒸発器）を通過した冷風が当たる位置に蓄冷材を配置し、プレ空調開始後、車室内温度が目標温度に達するまでは電動コンプレッサを作動させて送風空気を冷却するエアコンモードでプレ空調を実行し、車室内温度が目標温度に達した後は、蓄冷材で送風冷気を冷却する放冷モードでプレ空調を実行する車両用空調装置が記載されている。
【特許文献１】特開２００４−２３０９３６号公報
【特許文献２】特開２００４−２９１７５９号公報
【発明の開示】
【発明が解決しようとする課題】
【０００４】
しかしながら、上記特許文献２に記載された発明では、まずエアコンモードでプレ空調を実行するため、炎天下のような場合には、エバポレータを通過した空気が冷却されるまでに長時間を要する場合があり、消費電力が大きくなる、という問題があった。また、走行中にせっかく蓄冷した蓄冷材が暖まってしまい、放冷モードに移行した後に送風冷気を十分に冷却できず冷却効率が悪化すると共にエネルギーロスが大きくなる、という問題もあった。
【０００５】
本発明は、上記事実を考慮して成されたものであり、空調効率の悪化を防いで乗員の快適性を向上させることができると共に、バッテリーの消費電力を抑制し省電力化を図ることができる車両用空調装置を提供することを目的とする。
【課題を解決するための手段】
【０００６】
上記目的を達成するため、請求項１記載の発明は、充電された蓄電手段から供給された電力により、冷凍サイクルを循環する冷媒を圧縮するコンプレッサと、圧縮された冷媒を気化する蒸発器と、前記蒸発器により冷却された空気を車両の車室内へ送風する送風手段と、前記送風手段の下流側に設けられ、蓄冷材を含む蓄冷手段と、前記蓄冷材を保冷制御すると共に、乗員の乗車前に前記車室内のプレ空調を行う場合、前記蓄冷材の放冷により冷却された空気が前記車室内へ吹き出されるように前記送風手段を作動させる制御手段と、を備えたことを特徴とする。
【０００７】
この発明によれば、コンプレッサは、充電された蓄電手段から供給された電力により、冷凍サイクルを循環する冷媒を圧縮する。すなわち電動式のコンプレッサにより冷媒が圧縮され、圧縮された冷媒は蒸発器によって気化される。この蒸発器により冷却された空気を送風手段によって車両の車室内へ送風することにより、車室内が冷房される。
【０００８】
送風手段の下流側には、蓄冷材を含む蓄冷手段が設けられており、制御手段は、蓄冷材を保冷制御すると共に、乗員の乗車前に車室内のプレ空調を行う場合、蓄冷材の放冷により冷却された空気が車室内へ吹き出されるように送風手段を作動させる。
【０００９】
このように、プレ空調では、保冷制御された蓄冷材を放冷させて車室内を冷房するので、乗員の乗車後速やかに冷風を吹き出させることができ、乗員の快適性を向上させることができると共に、炎天下等の熱負荷が高い場合でも消費電力を抑制し省電力化を図ることができる。
【００１０】
なお、請求項２に記載したように、前記制御手段は、前記車両のエンジンの駆動中に、前記蓄冷材を保冷制御することができる。これにより、蓄電手段の消費電力を抑制することができる。
【００１１】
また、請求項３に記載したように、前記蓄冷材を直接冷却する冷却手段と、前記乗員の降車を検出する検出手段と、を備え、前記制御手段は、前記車両のエンジンの駆動停止中に前記乗員の降車を検出した場合に、前記蓄冷材が保冷されるように前記冷却手段を制御するようにしてもよい。これにより、乗員が降車後、再度乗車した場合により速やかに冷風を吹き出すことができる。なお、検出手段は、例えば車両のドアロックの解錠や施錠、ドアの開閉を検出することによって乗員の降車を検出することができる。
【００１２】
また、請求項４に記載したように、前記制御手段は、前記車両のエンジンの駆動中は、前記蒸発器により冷却された空気により前記蓄冷材を冷却させ、前記エンジンの駆動停止中は、前記冷却手段により前記蓄冷材を冷却させるようにしてもよい。
【００１３】
なお、請求項５に記載したように、前記冷却手段は、前記蓄電手段から供給された電力により前記蓄冷材を保冷するペルチェ素子である構成とすることができる。このようにペルチェ素子を用いることにより、蓄電手段の消費電力を抑制することができる。
【００１４】
また、請求項６に記載したように、前記冷却手段は、前記冷凍サイクルから分岐させた冷媒を前記蓄冷手段内に循環させることにより前記蓄冷材を冷却する冷媒循環手段である構成としてもよい。このように、冷媒を蓄電手段内に循環させて蓄冷材を直接冷却することにより、速やかに蓄冷することができると共に消費電力を抑制することができる。
【００１５】
また、請求項７に記載したように、前記蓄冷材の温度を検出する蓄冷材温度検出手段をさらに備え、前記制御手段は、前記蓄冷材の温度が予め定めた所定範囲内となるように保冷制御するようにしてもよい。これにより、安定して冷風を吹き出させることができる。
【００１６】
また、請求項８に記載したように、前記蓄電手段の充電量を検出する充電量検出手段をさらに備え、前記制御手段は、前記充電量が予め定めた所定閾値以下の場合には、前記蓄冷材の保冷制御を停止させるようにしてもよい。これにより、蓄電手段の充電量が下がりすぎるのを防ぐことができる。
【発明の効果】
【００１７】
以上説明したように本発明によれば、空調効率の悪化を防いで乗員の快適性を向上させることができると共に、バッテリーの消費電力を抑制し省電力化を図ることができる、という効果を有する。
【発明を実施するための最良の形態】
【００１８】
（第１実施形態）
以下、図面を参照して本発明の実施形態の一例を詳細に説明する。
【００１９】
図１は、本発明の実施形態に係る車両用空調装置の概略構成を示している。図１に示すように、空調ダクト１０の一端には車内の空気を取り入れるための内気取入れ口２２、２２’、車外の空気を取り入れるための外気取り入れ口２４、２４’が設けられている。内気取入れ口２２、２２’から内気を取り入れて内気循環モードとするか外気取入れ口２４、２４’から外気を取り入れて外気導入モードとするかは、ダンパ１４、１５を駆動することにより切り替えられるようになっている。ダンパ１４、１５は、制御装置５０からの指示により作動する吸込口切替アクチュエータ６２によって駆動される。
【００２０】
一方、空調ダクト１０の他端には、乗員の主に上半身に向けて吹出すベント吹出し口２５、乗員の足元へ向けて吹出すヒータ吹出し口２６、及びウィンドウシールドに向けて吹出すデフロスタ吹出し口２７が設けられている。どの吹出し口から空気を吹き出させるかは、ダンパ１６、１７、１８を駆動することにより切り替えられるようになっている。ダンパ１６、１７、１８は、制御装置５０からの指示により作動する吹出口切替アクチュエータ６０によって駆動される。
【００２１】
空気取入れ口２２、２２’、２４、２４’の下側には、これらの空気取入れ口から取り入れられた空気をベント吹出し口２５、ヒータ吹出し口２６、デフロスタ吹出し口２７へ向けて送風する送風ファン４０が設けられている。この送風ファン４０は、モータ４１により回転駆動される。
【００２２】
送風ファン４０の回転数は、制御装置５０の指令によりファン速度制御装置４２によって制御される。ファン速度制御装置４２は、例えばパワートランジスタ等を含んで構成することができる。この場合、パワートランジスタのベースにかかる電圧のデューティ比を変更することによりファン速度を変更することができる。
【００２３】
送風ファン４０の下流側には冷却用熱交換器であるエバポレータ３４が配置されている。このエバポレータ３４、圧縮器としてのコンプレッサ４３、凝縮器としてのコンデンサ４６、及び減圧器としてのエキスパンションバルブ４７により冷媒の循環路による冷凍サイクルを構成している。エバポレータ３４によって冷凍サイクルを循環する低温の冷媒が蒸発し、この蒸発潜熱によりエバポレータ３４を通過する空気が冷却される。
【００２４】
エバポレータ３４の下流側には、蓄冷器３６が配置されている。蓄冷器３６には蓄冷材が充填され、これがエバポレータ３４で冷却された空気によって冷却されて液体から固体に凝固し、このときの潜熱で大きい熱量が蓄冷される。
【００２５】
蓄冷材としては従来公知のものを用いることができる。例えば、特開２００２−２７４１６５号公報に記載されたように、デカノール（融点又は凝固点が７°Ｃ）、テトラデカン（融点又は凝固点が６°Ｃ）等を用いることができる。これらの蓄冷材は融点（凝固点）が７°Ｃ、６°Ｃなので、エバポレータ３４通過後の空気の温度を例えば３°Ｃまで下げれば、その空気でそのまま冷却し蓄冷材を融点以下にして凝固することができ、しかもエバポレータをフロストさせることもない。
【００２６】
蓄冷器３６にはペルチェ素子３８が取り付けられている。ペルチェ素子３８は、図２、３に示すように、Ｎ型半導体３８Ｎ、Ｐ型半導体３８Ｐ、高温側フィン３８Ｈ、及び低温側フィン３８Ｌをそれぞれ複数備えて成り、Ｎ型半導体３８ＮとＰ型半導体３８Ｐとが交互に接続されると共に、これらの接続部分に高温側フィン３８Ｈと低温側フィン３８Ｌとが交互に接続されている。
【００２７】
そして、図３に示すように、両端のＮ型半導体３８Ｎにバッテリー４９から直流電圧が印加されることにより、所謂ペルチェ効果によって高温側フィン３８Ｈからは放熱され、低温側フィン３８Ｌからは吸熱される。なお、ペルチェ素子３８のオンオフは制御装置５０によって制御され、制御装置５０がリレー４８にペルチェ素子駆動用の電流を出力することによりリレー４８がオンし、バッテリー４９から直流電圧がペルチェ素子３８に印加される。
【００２８】
低温側フィン３８Ｌは、図２に示すように蓄冷器３６の中の蓄冷材の一部に接触しているため、ペルチェ素子３８に直流電圧を印加することにより、蓄冷材を冷却することができる。高温側フィン３８Ｈは、ペルチェ素子冷却通路１２内に位置し、これを通過する空気によって冷却される。この冷却された空気は車外へ排出される。
【００２９】
ペルチェ素子冷却通路１２は、ダンパ１９によって開閉することができ、高温側フィン３８Ｈを冷却する場合には、ダンパ１９を開くと共に、ベント吹出し口２５、ヒータ吹出し口２６、及びデフロスタ吹出し口２７の全てを閉じて、送風ファン４０を最小風量で回転させる。これにより、ペルチェ素子冷却通路１２だけに最小風量の空気を送風し、高温側フィン３８Ｈを冷却することができる。なお、ダンパ１９は、制御装置５０からの指示によって作動するペルチェ素子冷却通路ダンパアクチュエータ６６によって駆動される。
【００３０】
エバポレータ３４の下流側で且つ空調ダクト１０の下半分には加熱用熱交換器であるヒータコア３０が設けられている。ヒータコア３０の一端にはエアミックスダンパ３２の一端がこの部分を中心に回動するように設けられている。このエアミックスダンパ３２が回動し、その開度を変更することにより、ヒータコア３０を通過する第一の空気と、これをバイパスする第二の空気との割合を変更することができる。これにより、各吹出し口から吹出される吹出し空気の吹出し温度が変更される。なお、エアミックスダンパ３２は、エアミックスダンパアクチュエータ６４によって駆動される。制御装置５０は、エアミックスダンパ３２の開度が所望の開度となるようにエアミックスダンパアクチュエータ６４を駆動する。
【００３１】
コンプレッサ４３は電動式のコンプレッサであり、モータ４４によって駆動される。コンプレッサ４３の駆動用の電力は車両のバッテリー４９から供給される。コンプレッサ４３の回転数は、制御装置５０の指令によりモータ速度制御装置４５によって制御される。モータ速度制御装置４５は、例えばパワートランジスタ等を含んで構成される。この場合、パワートランジスタのベースにかかる電圧のデューティ比を変更することによりコンプレッサ４３の回転数を変更することができる。
【００３２】
また、車両用空調装置は、外気温センサ５２、日射センサ５４、車室内温度センサ５６、エバポレータ後温度センサ５８、蓄冷材温度センサ５９、及び温度設定装置６１を備えており、これらは制御装置５０に接続されている。
【００３３】
外気温センサ５２は、例えばサーミスター等により構成され、外気温度を抵抗変化として感知し、外気温度に応じた外気温度信号を制御装置５０へ出力する。この外気温センサ５２は、例えば車両のフロントバンパーリインホースメントの下部等に設置される。
【００３４】
日射センサ５４は、フォトダイオード等の光検出手段等により構成され、日射量に応じた日射量信号を制御装置５０へ出力する。この日射センサ５４は、例えば車両のインストルメントパネル上部のデフロスタ吹出し口付近に設置される。
【００３５】
車室内温度センサ５６は、例えばサーミスター等により構成され、車室内の温度を抵抗変化として感知し、車室内温度に応じた車室内温度信号を制御装置５０へ出力する。この車室内温度センサ５６は、例えば車両のインストルメントパネル内等の所定位置に設置される。
【００３６】
エバポレータ後温度センサ５８は、エバポレータ３４の下流側に設置される。エバポレータ後温度センサ５８は、例えばサーミスター等により構成され、エバポレータ３４通過後の空気の温度（エバポレータ後空気温度）を抵抗変化として感知し、その温度に応じたエバポレータ後温度信号を制御装置５０へ出力する。
【００３７】
蓄冷材温度センサ５９は、例えば蓄冷器３６内に設けられ、充填された蓄冷材の温度を検出し、その温度に応じた蓄冷材温度信号を制御装置５０へ出力する。
【００３８】
温度設定装置６１は、乗員が好みの空調温度を設定するための装置であり、乗員が設定した設定温度に対応した設定温度データを制御装置５０へ出力する。
【００３９】
このような車両用空調装置は、エンジン及び電気モータを駆動源とする所謂ハイブリッド車に適用することができるが、電動式のコンプレッサを用いるものであれば、エンジンのみ又は電気モータのみを駆動源とする車両にも適用可能である。
【００４０】
次に、乗員が車両に乗車し、エンジンスイッチがオンされた状態で実行される通常の空調制御について説明する。
【００４１】
まず、制御装置５０は、外気温センサ５２、日射センサ５４、車室内温度センサ５６、及び温度設定装置６１から出力されたデータを取り込み、これらに基づいて目標吹出し温度ＴAOを次式により演算する。
【００４２】
ＴAO＝Ｋ１×Ｔｓｅｔ−Ｋ２×Ｔｒ−Ｋ３×Ｔｏ−Ｋ４×ＳＴ＋Ｃ・・・（１）
ここで、Ｔｓｅｔは設定温度、Ｔｒは車室内温度、Ｔｏは外気温、ＳＴは日射量、Ｋ１、Ｋ２、Ｋ３、Ｋ４、Ｃは予め設定された定数である。
【００４３】
そして、制御装置５０は、図４に示すような外気温と目標エバポレータ後温度との対応関係に基づいて、検出した外気温に対応した目標エバポレータ後温度を求め、エバポレータ後温度が目標エバポレータ後温度となるように、コンプレッサ４３の回転数を制御する。
【００４４】
図４に示すように、冷房負荷の大きい外気温が高いところでは目標エバポレータ後温度を低くし、冷房負荷の比較小さい外気温が比較的低い中間領域では、目標エバポレータ後温度を高くして省電力化を図り、外気温のかなり低いところではウィンドウが曇らないよう目標エバポレータ後温度を低くして除湿能力を高くしている。
【００４５】
次に、吹出し口から吹き出される空気の吹出し温度を目標吹出し温度に制御するためにヒータコア３０を通過する第一の空気（温風）とこれをバイパスする第二の空気（冷風）との割合である混合比（温風／全風量）ｒを次式により演算する。
【００４６】
ｒ＝（ＴAO−Ｔｅ）／（Ｔｈ−Ｔｅ）・・・・・・・・・・・・・・・・（２）
ここで、Ｔｅはエバポレータ後温度センサ５８により検出されたエバポレータ後空気温度、Ｔｈはヒータコア後温度センサ（図示省略）により検出されたヒータコア３０を通過した空気の温度（ヒータコア後空気温度）である。なお、ヒータコア後空気温度Ｔｈは、ヒータコア後温度センサにより直接検出するのではなく、次式により演算して取得するようにしてもよい。
【００４７】
Ｔｈ＝Ａ×Ｔｗ＋（１−Ａ）×Ｔｅ・・・・・・・・・・・・・・・・・・（３）
ここで、Ｔｗは水温センサー（図示省略）により検出されたエンジン冷却水の温度、Ａは定数で、Ａ≦１である。なお、エンジン冷却水の温度はサーモスタットでほぼ一定値に制御されるので、この値を用いてもよい。
【００４８】
次に、上記（２）式により求めた混合比ｒとなるエアミックスダンパ３２の開度Ｓを次式により演算する。
【００４９】
Ｓ＝ｆ１（ｒ）・・・・・・・・・・・・・・・・・・・・・・・・・・・（４）
ここで、ｆ１（）は、混合比ｒに対応したエアミックスダンパ３２の開度Ｓを求めるための関数である。
【００５０】
次に、制御装置５０は、エアミックスダンパ３２の開度が上記（４）式で求めた開度Ｓとなるようにエアミックスダンパアクチュエータ６４に指示する。これにより、エアミックスダンパアクチュエータ６４がエアミックスダンパ３２を駆動し、エアミックスダンパ３２の開度が開度Ｓとなるまで回動される。
【００５１】
上記の処理が繰り返されることにより、車室内温度を徐々に設定温度に近づかせることができる。
【００５２】
次に、制御装置５０は、目標吹出し温度ＴAOと送風ファン４０を駆動するモータ４１に印加する電圧（送風ファン電圧）との予め定めた対応関係に基づいて、目標吹出し温度ＴAOに対応する送風ファン電圧を求めて、この送風ファン電圧に対応した信号をファン速度制御装置４２に出力する。なお、前記対応関係は、例えばテーブルデータとして予め図示しないメモリに記憶される。
【００５３】
次に、車両のエンジンがオンされた状態で制御装置５０が実行する蓄冷材冷却制御について図５に示すフローチャートを参照して説明する。なお、この処理中も上記の通常の空調制御が実行される。
【００５４】
この蓄冷材保冷制御では、蓄冷材の温度が第１の所定値から第２の所定値の範囲内を維持するように制御する。
【００５５】
まず、ステップ１００では、ペルチェ素子冷却通路１２を開けるようにペルチェ素子冷却通路ダンパアクチュエータ６６を駆動する。
【００５６】
ステップ１０２では、蓄冷材温度センサ５９から出力された信号を取り込み、蓄冷材温度Ｔｓを取得する。
【００５７】
ステップ１０４では、蓄冷材温度Ｔｓが蓄冷材の融点近傍の第１の所定値ＴＨ１以下であるか否かを判定する。そして、蓄冷材温度Ｔｓが第１の所定値ＴＨ１以下である場合には、ステップ１０６へ移行し、蓄冷材温度Ｔｓが第１の所定値ＴＨ１より大きい場合には、ステップ１１０へ移行する。
【００５８】
ステップ１１０では、目標エバポレータ後温度を、図４に示す外気温と目標エバポレータ後温度との対応関係に基づいて定めるのではなく、使用する蓄冷材の融点よりも低い予め定めた低温所定値に設定する。例えば、融点が７°Ｃのデカノールや融点が６°Ｃのテトラデカンなどの蓄冷材を用いた場合には、低温所定値を３°Ｃに設定する。これにより、蓄冷材を融点以下に冷却することができる。なお、目標エバポレータ後温度を低い値に設定しても、前述した通常の空調制御においてエアミックスダンパの開度Ｓが調整されるため、吹出し口から吹き出される空気の吹出し温度が急激に変化することはない。
【００５９】
ステップ１０６では、蓄冷材温度Ｔｓが、第１の所定値ＴＨ１よりも小さい第２の所定値ＴＨ２未満であるか否かを判定する。なお、第２の所定値ＴＨ２は、これ以上蓄冷材を冷却する必要のない値に設定される。そして、蓄冷材温度Ｔｓが第２の所定値ＴＨ１未満である場合、すなわち、蓄冷材が十分に冷却されており、蓄冷材温度Ｔｓがこれ以上冷却する必要のない温度である場合には、ステップ１０８へ移行する。
【００６０】
ステップ１０８では、目標エバポレータ後温度を図４に示す外気温と目標エバポレータ後温度との対応関係（通常パターン）に基づいて定める。すなわち、検出した外気温に応じた目標エバポレータ後温度を設定する。
【００６１】
一方、蓄冷材温度Ｔｓが第２の所定値ＴＨ２以上である場合、すなわち、蓄冷材温度Ｔｓが第２の所定値ＴＨ２以上で且つ第１の所定値ＴＨ１以下の適正範囲内にある場合には、現状を維持するためステップ１１２へ移行する。
【００６２】
ステップ１１２では、エンジンがオフされたか否か、すなわち図示しないイグニッションスイッチがオフされたか否かを判断し、オフされた場合にはステップ１１４へ移行する。
【００６３】
ステップ１１４では、コンプレッサ４３を停止させ、ステップ１１６では、送風ファン４０を停止させて本ルーチンを終了する。本ルーチンが終了すると、図６に示すようなエンジンオフ時のプレ空調制御が実行される。
【００６４】
一方、エンジンがオフされていない場合には、ステップ１０２へ戻って上記と同様の処理を繰り返す。これにより、蓄冷材の温度が第２の所定値ＴＨ２以上で且つ第１の所定値ＴＨ１以下の適正範囲に保たれる。
【００６５】
なお、ステップ１０８では、外気温に対応した目標エバポレータ後温度を設定しているが、外気温によらず一定（低温所定値、例えば３°Ｃ）としてもよい。また、プレ空調が必要な外気温の場合、走行中は目標エバポレータ後温度を常に低温所定値に設定し、プレ空調が必要でない外気温の場合は図４に示す通常パターンに基づいて目標エバポレータ後温度を設定してもよい。そして、プレ空調が必要でない外気温の場合は、プレ空調制御を実行しないようにしてもよい。
【００６６】
次に、エンジンがオフの状態で制御装置５０により実行されるプレ空調制御について、図６に示すフローチャートを参照して説明する。
【００６７】
まず、ステップ２００では、車両に乗員が乗車しようとしているか（乗車しているか）否かを判断する。車両に乗員が乗車しようとしているか否かは、例えば車両のドア（例えば運転席のドア）がロックされているか解除されているかにより判断することができる。すなわち、ドアがロックされた場合には乗員が降車した（乗員が降車してドアをロックした）と判断し、ドアのロックが解除された場合には乗員が乗車した（乗員がドアロックを解除して乗車しようとしている）と判断することができる。
【００６８】
なお、車両に乗車しようとしているか否かの判断は上記に限られるものではなく、ドアの開閉を検出することにより判断することもできる。例えば、エンジン停止後ドアが閉まったままの場合は乗員が乗車したままと判断することができる。また、ドアが一旦開いて閉じた場合は乗員が降車したと考えられ、この状態で再度ドアが開いた場合は乗員が再度乗車するために開けたと考えられるので、この場合は車両に乗車しようとしていると判断することができる。そして、それ以外の場合は乗員が乗車しようとしておらず不在であると判断することができる。この判断の具体例については後述する。
【００６９】
そして、車両に乗員が乗車しようとしていないと判断した場合には、ステップ２０２へ移行し、車両に乗員が乗車しようとしていると判断した場合には、ステップ２２０へ移行する。
【００７０】
ステップ２０２では、蓄冷材温度センサ５９から蓄冷材温度Ｔｓを取得し、ステップ２０４では、蓄冷材温度Ｔｓが前記第１の所定値ＴＨ１以下であるか否かを判定する。そして、蓄冷材温度Ｔｓが第１の所定値ＴＨ１以下である場合には、ステップ２０６へ移行し、蓄冷材温度Ｔｓが第１の所定値ＴＨ１より大きい場合には、ステップ２１２へ移行する。
【００７１】
ステップ２０６では、蓄冷材温度Ｔｓが、第１の所定値ＴＨ１よりも小さい前記第２の所定値ＴＨ２未満であるか否かを判定する。そして、蓄冷材温度Ｔｓが第２の所定値ＴＨ１未満である場合、すなわち蓄冷材が十分に冷却されている場合には、ステップ２０８へ移行する。一方、蓄冷材温度Ｔｓが第２の所定値ＴＨ２以上である場合、すなわち、蓄冷材温度Ｔｓが第２の所定値ＴＨ２以上で且つ第１の所定値ＴＨ１以下の適正範囲内にある場合には、現状を維持するためステップ２２４へ移行する。
【００７２】
ステップ２０８では、蓄冷材をこれ以上冷却する必要がないため、ペルチェ素子３８への電圧の印加を停止させる。すなわち、リレー４８をオフさせる。そして、ステップ２１０では、送風ファン４０をオフする。
【００７３】
一方、蓄冷材温度Ｔｓが第１の所定値ＴＨ１より大きい場合には、蓄冷材を冷却する必要があるので、まずステップ２１２において、ペルチェ素子３８の電源をオンさせる。すなわち、リレー４８をオンさせる。
【００７４】
そして、ステップ２１４では、全ての吹出し口を閉じるように吹出口切替アクチュエータ６０を駆動する。
【００７５】
次に、ステップ２１６では、ペルチェ素子冷却通路１２を開けるようペルチェ素子冷却通路ダンパアクチュエータ６６を駆動する。
【００７６】
次に、ステップ２１８では、送風ファン４０が予め定めた最小回転数で回転されるようにファン速度制御装置４２に指示する。これにより、ペルチェ素子３８によって蓄冷器３６内の蓄冷材が冷却され、高温側フィン３８Ｈから放熱された空気がペルチェ素子冷却通路１２から車外へ排出される。
【００７７】
このように、エンジンがオフの状態で乗員が車両に乗車しようとしておらず不在の場合には、ペルチェ素子３８によって蓄冷材温度Ｔｓが適正範囲内となるように制御される。
【００７８】
一方、車両に乗員が乗車しようとしている場合には、ステップ２２０で、ベント吹出し口２５から冷却された空気が吹き出されるように吹出口切替アクチュエータ６０を駆動する。
【００７９】
ステップ２２１では、ペルチェ素子３８の電源をオフし、ペルチェ素子冷却通路１２を閉じる。
【００８０】
そして、ステップ２２２では、送風ファン４０をオンさせる。すなわち、蓄冷材によって冷却した空気をベント吹出し口２５から吹き出させ、放冷によって車室内をプレ冷房する。
【００８１】
ステップ２２４では、エンジンがオンしたか否かを判断し、エンジンがオフのままの場合には、ステップ２００へ戻って上記と同様の処理を繰り返し、エンジンがオンされた場合には、ステップ本ルーチンを終了する。なお、本ルーチンが終了すると、前述した通常の空調制御が実行されると共に、図５に示す蓄冷材冷却制御が実行される。
【００８２】
このように、エンジンオフの状態（駐車時）でドアロックを解除し乗員が乗車しようとした場合には、エンジンオン時又はエンジンオフで乗員不在時に冷却された蓄冷材を放冷させることによってプレ冷房するため、乗車後速やかに冷却された空気を吹き出させることができ、乗員の快適性を向上させることができる。また、エンジンオフで乗員不在時には、コンプレッサ４３を作動させずにペルチェ素子３８の駆動により蓄冷材を冷却するため、バッテリーの消費電力を抑制することができ、省電力化を図ることができる。
【００８３】
なお、上記では、エンジンのオンオフの状態に拘わらず蓄冷材の温度が所定範囲内となるように制御しているが、何れかの場合にのみ蓄冷材の温度が所定範囲内となるように制御するようにしてもよい。
【００８４】
また、バッテリー４９の充電量を検出する充電量検出センサをさらに備えた構成とし、制御装置５０がエンジンオフ時に蓄冷材の保冷制御を行う場合において、検出した充電量が予め定めた所定閾値以下の場合には、蓄冷材の保冷制御を停止させるようにしてもよい。この場合、所定閾値は、例えば充電量がこれよりも少なくなると、車両に搭載された電装品が正常動作できなくなる可能性のある値に設定される。
【００８５】
次に、車両に乗車しようとしているか否かをドアの開閉に基づいて判断する場合について、図７に示すフローチャートを参照して説明する。
【００８６】
まず、ステップ３００では、後述するドア開フラグ、ドア閉フラグ、ドア再度開フラグを全てオフに設定する。
【００８７】
ステップ３０２では、車両のドア（例えば運転席のドア）が開いたか否かを判断する。これはドアのカーティシスイッチがオンしたか否かで判断することができる。そして、ドアが開いたと判断した場合には、ステップ３０４へ移行し、ドアが閉まったままの場合には、ステップ３１２へ移行する。
【００８８】
ステップ３０４では、ドア開フラグがオンしているか否かを判断し、オンの場合にはステップ３０６へ移行する。ドア開フラグがオフの場合には、ステップ３１０へ移行し、ドア開フラグをオンする。すなわち、この場合はエンジンオフ後初めてドアを開けたことを意味する。
【００８９】
一方、ドアが閉まっている場合には、ステップ３１２でドア開フラグがオンしているか否かを判断し、オンしている場合にはステップ３１４でドア閉フラグをオンする。すなわち、この場合はドアを開けて閉めた（乗員が車外へ出た）ことを意味する。また、ドア開フラグがオフの場合には、ステップ３１６へ移行する。
【００９０】
ステップ３０６では、ドア閉フラグがオンしているか否かを判断し、オンしている場合には、ステップ３０８へ移行し、オフの場合にはステップ３１６へ移行する。
【００９１】
ステップ３０８では、ドア再度開フラグをオンする。すなわち、この場合はドアを開けて閉め（乗員が車外へ出て）、再度ドアを開けた（乗員が再度乗車しようとしている）ことを意味する。このように、同じドアが開いた場合でも、乗員が降りるためにドアを開けたのか、乗車のために開けたのかを的確に判断することができる。
【００９２】
ステップ３１６では、ドア再度開フラグのみがオフか否か、すなわち、ドア開フラグがオンで且つドア閉フラグがオンで且つドア再度開フラグがオフであるか否かを判断する。これは、具体的には、乗員がドアを開けて降車し、その後ドアを閉めた状態か否か、すなわち車両に乗員が不在であるのか否かを判断していることになる。
【００９３】
そして、ドア再度開フラグのみがオフの場合は、乗員が乗車しようとしておらず不在であると判断し、ステップ３１８へ移行し、それ以外の場合には、ステップ３２８へ移行する。
【００９４】
ステップ３１８〜ステップ３２６は、図６のステップ２０２〜２１８と同様の処理である。すなわち、ステップ３１８は図６のステップ２０２と、ステップ３２０は図６のステップ２０４と、ステップ３２２は図６のステップ２０６と、ステップ３２４は図６のステップ２０８及びステップ２１０と、ステップ３２６は図６のステップ２１２〜２１８と同一の処理である。このため、各処理の説明は省略する。
【００９５】
ステップ３２８では、ドア開フラグ、ドア閉フラグ、ドア再度開フラグの全てのフラグがオンになっているか否かを判断する。すなわち、乗員が一旦降車して、再度乗車した状態か否かを判断する。
【００９６】
そして、全てのフラグがオンの場合、すなわち、乗員が再度乗車しようとしている状態の場合には、ステップ３３０へ移行し、それ以外の場合には、ステップ３３４へ移行する。なお、ステップ３３０の処理は、図６のステップ２２０及びステップ２２２と同一の処理であるため、説明は省略する。そして、ステップ３３２では、ドア開フラグ、ドア閉フラグ、ドア再度開フラグの全てのフラグをオフして、ステップ３３４へ移行する。ステップ３３４の処理は、図６のステップ２２４と同一の処理であるため、説明は省略する。
【００９７】
このように、ドア開フラグ、ドア閉フラグ、ドア再度開フラグを用いて車両に乗車しようとしているか否かを的確に判断することができる。
【００９８】
（第２実施形態）
次に、本発明の第２実施形態について説明する。なお、第１実施形態と同一部分には同一符号を付し、詳細な説明は省略する。第２実施形態では、蓄冷器３６の蓄冷材をペルチェ素子ではなく、冷媒で冷却する場合について説明する。
【００９９】
図８には、本実施形態に係る車両用空調装置の概略構成を示した。本実施形態に係る車両用空調装置は、ペルチェ素子により蓄冷材を冷却する構成に代えて、冷媒により蓄冷材を冷却する構成が設けられている。
【０１００】
このため、図８に示すように、エキスパンションバルブ４７の下流側では、エバポレータ３４と蓄冷器３６の両方に冷媒を流すために配管が２つに分岐しており、それぞれの配管の途中には冷媒制御バルブ５１、５１’が設けられている。冷媒制御バルブ５１、５１’は、制御装置５０によって制御され、何れか一方の配管、若しくは両方の配管に冷媒が流れるように制御される。
【０１０１】
蓄冷器３６は、図９に示すように、上下２つのタンク３６Ａ、３６Ｂを備え、これらのタンクが複数のチューブ３６Ｃで接続されている。そして、各チューブ３６Ｃには多数のプレートフィン３６Ｄが取り付けられており、通過する空気との熱交換を効果的にする。
【０１０２】
チューブ３６Ｃは、図１０、１１に示すように、外管３６Ｃ１の中に内管３６Ｃ２が設けられた構成であり、外管３６Ｃ１内、すなわち外管３６Ｃ１と内管３６Ｃ２との間には、蓄冷材３６Ｅが充填されており、内管３６Ｃ２内を冷媒が循環するようになっている。
【０１０３】
図１２には、車両のエンジンがオンされた状態で制御装置５０が実行する蓄冷材冷却制御のフローチャートを示した。なお、図１２では、図５に示すフローチャートと同一処理を行うステップについては同一符号を付し、異なる処理を行うステップの符号の末尾に‘Ａ’を付した。
【０１０４】
図１２に示すように、図５に示すフローチャートと異なるのは、ステップ１００Ａ、１０８Ａ、１１０Ａのみである。すなわち、ステップ１００Ａでは、両方の冷媒制御バルブ５１、５１’を開いて、エバポレータ３４と蓄冷器３６の両方に冷媒を流し、蓄冷材を冷却する。
【０１０５】
そして、蓄冷材温度Ｔｓが第２の所定値ＴＨ２より小さい場合には、これ以上蓄冷材を冷却する必要はないので、ステップ１０８Ａで蓄冷器３６側の冷媒制御バルブ５１’を閉じる。
【０１０６】
一方、蓄冷材温度Ｔｓが第１の所定値ＴＨ１より大きい場合には、蓄冷材を冷却する必要があるので、ステップ１１０Ａで蓄冷器３６側の冷媒制御バルブ５１’を開ける。このとき、冷媒の温度が第２の所定値ＴＨ２よりも低い温度となるように制御する。これは、モータ４４で回転されるコンプレッサ４３の回転数を変えることによって制御することができる。エバポレータ３４の冷媒温度（蒸発温度）は冷媒圧力で一義的に決まるため、冷媒圧力を制御することで冷媒の温度を制御することができる。また、検出したエバポレータ後温度から冷媒の温度を推定してコンプレッサ４３の回転数を変えてもよい。
【０１０７】
これ以外の処理は、図５に示すフローチャートと同様である。このような処理により、蓄冷材温度Ｔｓを第１の所定値ＴＨ１から第２の所定値ＴＨ２の範囲内に保つことができる。
【０１０８】
図１３には、車両のエンジンがオフされた状態で制御装置５０が実行するプレ空調制御のフローチャートを示した。なお、図１３では、図６に示すフローチャートと同一処理を行うステップについては同一符号を付し、異なる処理を行うステップの符号の末尾に‘Ａ’を付した。
【０１０９】
図１３に示すように、図６に示すフローチャートと異なるのは、ステップ２０８Ａ、２１２Ａ、２１６Ａ、２２１Ａのみである。すなわち、ステップ２０８Ａでは、蓄冷材を冷却する必要がないのでコンプレッサ４３をオフする。
【０１１０】
一方、ステップ２１２Ａでは、蓄冷材を冷却する必要があるので、コンプレッサ４３をオンし、ステップ２１６Ａでは、蓄冷器３６側の冷媒制御バルブ５１’を開ける。なお、ステップ２１２Ａで、エバポレータ側の冷媒制御バルブ５１を閉じるようにしてもよい。また、コンプレッサの回転数は、蓄冷材を冷却することができる程度（例えば予め定めた最小回転数）でよい。
【０１１１】
ステップ２２１Ａでは、乗員が乗車しようとしているので、蓄冷器による冷却を行うために、コンプレッサ４３をオフすると共に、蓄冷器側の冷媒制御バルブ５１’を閉じる。
【０１１２】
このように、本実施形態では、蓄冷器の蓄冷材を冷媒によって冷却し、これを放冷させることで、乗車時に速やかに車室内を冷房することができる。
【０１１３】
次に、蓄冷器３６の配置に関する変形例について説明する。
【０１１４】
図１４には、変形例に係る車両用空調装置の概略構成を示した。なお、図８に示す車両用空調装置と同一部分には同一符号を付し、詳細な説明は省略する。
【０１１５】
図１４に示す車両用空調装置では、蓄冷器３６の配置が図８に示す車両用空調装置と異なっており、エバポレータ３４の下流側全面に配置されるのではなく、空調ダクト１０の上半分側に配置されている。そして、蓄冷器３６の一端には蓄冷器ダンパ７０の一端がこの部分を中心に回動するように設けられている。この蓄冷器ダンパ７０が回動し、その開度を変更することにより、蓄冷器３６を通過する空気と、これをバイパスする空気との割合を変更することができる。蓄冷器ダンパ７０は、蓄冷器ダンパアクチュエータ６８によって駆動される。制御装置５０は、蓄冷器ダンパ７０の開度が所望の開度となるように蓄冷器ダンパアクチュエータ６８を駆動する。
【０１１６】
エンジンオフ時に乗員の乗車前にプレ冷房する場合のように、蓄冷器３６の放冷により冷房する場合は、図１５に示すように、蓄冷器ダンパ７０を全開にして空調ダクト１０を通過する空気を全て蓄冷器３６を通るようにする。
【０１１７】
また、エンジンオン時に蓄冷材を冷却する場合、エンジンオフ時に蓄冷材を保冷する場合は、図１６に示すように蓄冷器ダンパ７０を全閉にする。
【０１１８】
また、エンジンオン時にコンプレッサ４３を駆動してエバポレータ３４を通過した冷却風で蓄冷器３６を蓄冷できるように、蓄冷器ダンパ７０を全開と全閉の中間の位置（図１４に示すような位置）としてもよい。これにより、エバポレータ３４を通過した冷却風の一部が蓄冷器３６を通過するようになり、冷媒による冷却に加えてさらに蓄冷材を冷却することができる。
【０１１９】
また、蓄冷器３６があまり冷却されていない場合にエバポレータ３４を通過した冷却風で冷房する場合、エバポレータ３４を通過した空気がそのまま吹出すように蓄冷器ダンパ７０を全閉としてもよい。これにより、エバポレータ３４を通過した冷却風があまり冷却されていない蓄冷器３６を通ることで吹出し温度の下がり方が遅くなるのを防ぐことができる。
【０１２０】
なお、図１４に示す車両用空調装置は冷媒で蓄冷材を冷却する構成であるが、第１実施形態と同様にペルチェ素子を用いて蓄冷材を冷却するような構成としてもよい。
【０１２１】
上記各実施形態では、エンジンオン時に蓄冷材を冷却し、エンジンオフ時に蓄冷材を保冷する場合について説明したが、エンジンオン時に蓄冷材を冷却せず、エンジンオフで乗員が降車したことを検出した場合に、コンプレッサ４３を駆動して蓄冷材の冷却を行い、蓄冷材温度が第２の所定値ＴＨ２よりも低くなった場合にコンプレッサ４３を停止し、蓄冷材が第１の所定値ＴＨ１より高くなった場合にコンプレッサ４３を駆動して蓄冷材を冷却するようにしてもよい。
【図面の簡単な説明】
【０１２２】
【図１】第１実施形態に係る車両用空調装置の概略構成を示す図である。
【図２】蓄冷器及びペルチェ素子を示す斜視図である。
【図３】ペルチェ素子の構成を示す図である。
【図４】外気温と目標エバポレータ後温度との対応関係を示す線図である。
【図５】第１実施形態に係るエンジンＯＮ時に実行される蓄冷材冷却制御の処理の流れを示すフローチャートである。
【図６】第１実施形態に係るエンジンＯＦＦ時に実行されるプレ空調制御の処理の流れを示すフローチャートである。
【図７】第１実施形態の変形例に係るエンジンＯＦＦ時に実行されるプレ空調制御の処理の流れを示すフローチャートである。
【図８】第２実施形態に係る車両用空調装置の概略構成を示す図である。
【図９】蓄冷器の斜視図である。
【図１０】図９のＡ−Ａ断面図である。
【図１１】蓄冷器のチューブの斜視図である。
【図１２】第２実施形態に係るエンジンＯＮ時に実行される蓄冷材冷却制御の処理の流れを示すフローチャートである。
【図１３】第２実施形態に係るエンジンＯＦＦ時に実行されるプレ空調制御の処理の流れを示すフローチャートである。
【図１４】第２実施形態の変形例に係る車両用空調装置の概略構成を示す図である。
【図１５】第２実施形態の変形例に係る車両用空調装置の空調ダクト部分の概略構成を示す図である。
【図１６】第２実施形態の変形例に係る車両用空調装置の空調ダクト部分の概略構成を示す図である。
【符号の説明】
【０１２３】
１０      空調ダクト
１２      ペルチェ素子冷却通路
３６      蓄冷器（蓄冷手段）
３６Ｅ      蓄冷材
３８      ペルチェ素子（冷却手段）
４０      送風ファン（送風手段）
４３      コンプレッサ
４９      バッテリー
５０      制御装置
５１      冷媒制御バルブ
５１’      冷媒制御バルブ（冷却手段）
５９      蓄冷材温度センサ（蓄冷材温度検出手段）
６６      ペルチェ素子冷却通路ダンパアクチュエータ
６８      蓄冷器ダンパアクチュエータ
７０      蓄冷器ダンパ
【図１】
2007076546.tif 000003
【図２】
2007076546.tif 000004
【図３】
2007076546.tif 000005
【図４】
2007076546.tif 000006
【図５】
2007076546.tif 000007
【図６】
2007076546.tif 000008
【図７】
2007076546.tif 000009
【図８】
2007076546.tif 000010
【図９】
2007076546.tif 000011
【図１０】
2007076546.tif 000012
【図１１】
2007076546.tif 000013
【図１２】
2007076546.tif 000014
【図１３】
2007076546.tif 000015
【図１４】
2007076546.tif 000016
【図１５】
2007076546.tif 000017
【図１６】
2007076546.tif 000018